(57)【要約】【課題】細菌やカビの発生を確実に防止する。【解決手段】空気流路２０を有する加湿器本体１０と、給水タンク１１と、散水室２７と、給水タンク１１から散水室２７へと導く給水管２８と、加熱手段（ヒータ３０）と、空気流路２０を流動する空気が通過する加湿（フィルタ）部材３２と、給水管２８に循環供給する還流管２４と、送風手段（ファン３６）とを備えた加湿器において、加湿部材が含有した水分を検出する水分検出手段（湿度センサ３９，４０）を設けるとともに、水分検出手段による検出に基づいて送風手段のみを動作させる加湿部材乾燥処理を設けた構成とする。【選択図】図７
2006010135.tif 000002
【特許請求の範囲】
【請求項１】
吸込口と吹出口とを連通する空気流路を有する加湿器本体と、
前記加湿器本体内に配設された給水タンクと、
前記加湿器本体内に配置され、下方に向かって水を供給する散水室と、
前記給水タンクから供給される水を、前記散水室へと導く給水管と、
該給水管内の水を加熱する加熱手段と、
前記散水室の下方の空気流路内に配置され、前記散水室から供給された水を吸収し、前記空気流路を流動する空気が通過する加湿部材と、
前記散水室から供給された水を前記給水管における前記加熱手段の上流側に循環供給する還流管と、
前記吸込口から空気流路に空気を取り入れ、前記加湿部材を通過させて加湿した後、前記吹出口から排出する送風手段とを備えた加湿器において、
前記加湿部材が含有した水分を検出する水分検出手段を設けるとともに、該水分検出手段による検出に基づいて前記送風手段のみを動作させる加湿部材乾燥処理を設けたことを特徴とする加湿器。
【請求項２】
前記水分検出手段は、外部の湿度を検出する第１湿度センサと、前記空気流路において前記加湿部材の下流側に配設され該加湿部材によって加湿した空気の湿度を検出する第２湿度センサとからなり、
前記加湿部材乾燥処理は、前記第１および第２湿度センサの検出値の差が予め設定した許容範囲内になると停止するものであることを特徴とする請求項１に記載の加湿器。
【請求項３】
前記水分検出手段は、加湿部材の重量を検出する重量センサからなり、
前記加湿部材乾燥処理は、前記重量センサの検出値が予め設定した許容範囲内になると停止するものであることを特徴とする請求項１に記載の加湿器。
【発明の詳細な説明】
【技術分野】
【０００１】
本発明は、加湿器に関するものである。
【背景技術】
【０００２】
本発明の加湿器に関連する先行技術文献情報としては次のものがある。
【０００３】
【特許文献１】特開２００２−４８３６５号公報
【０００４】
この特許文献１では、常に一定量の水を収容する水槽と、この水槽内の水面に非接触状態で配設された気化エレメントと、前記水槽内の水を汲み上げて前記気化エレメントに上方から給水するポンプと、前記気化エレメントを通して送風して外部に放出する送風ファンとを備えた加湿器が提供されている。
【０００５】
しかしながら、この種のハイブリッド方式の加湿器では、加湿後に気化エレメントである加湿部材が水を吸水した状態で放置されることにより、細菌やカビが発生する恐れがある。そして、これら細菌やカビは、次に加湿動作を実行した際に、加湿した空気と一緒に排出される臭気の原因になるという不都合がある。
【発明の開示】
【発明が解決しようとする課題】
【０００６】
そこで、本発明では、細菌やカビの発生を確実に防止できる加湿器を提供することを課題とするものである。
【課題を解決するための手段】
【０００７】
前記課題を解決するため、本発明の加湿器は、吸込口と吹出口とを連通する空気流路を有する加湿器本体と、前記加湿器本体内に配設された給水タンクと、前記加湿器本体内に配置され、下方に向かって水を供給する散水室と、前記給水タンクから供給される水を、前記散水室へと導く給水管と、該給水管内の水を加熱する加熱手段と、前記散水室の下方の空気流路内に配置され、前記散水室から供給された水を吸収し、前記空気流路を流動する空気が通過する加湿部材と、前記散水室から供給された水を前記給水管における前記加熱手段の上流側に循環供給する還流管と、前記吸込口から空気流路に空気を取り入れ、前記加湿部材を通過させて加湿した後、前記吹出口から排出する送風手段とを備えた加湿器において、前記加湿部材が含有した水分を検出する水分検出手段を設けるとともに、該水分検出手段による検出に基づいて前記送風手段のみを動作させる加湿部材乾燥処理を設けた構成としている。
【０００８】
この加湿器では、前記水分検出手段は、外部の湿度を検出する第１湿度センサと、前記空気流路において前記加湿部材の下流側に配設され該加湿部材によって加湿した空気の湿度を検出する第２湿度センサとからなり、前記加湿部材乾燥処理は、前記第１および第２湿度センサの検出値の差が予め設定した許容範囲内になると停止するものであることが好ましい。
または、前記水分検出手段は、加湿部材の重量を検出する重量センサからなり、前記加湿部材乾燥処理は、前記重量センサの検出値が予め設定した許容範囲内になると停止するものであることが好ましい。
【発明の効果】
【０００９】
本発明の加湿器では、加湿部材が含有した水分を検出する水分検出手段による検出に基づいて前記送風手段のみを動作させる加湿部材乾燥処理を設けているため、加湿部材に細菌やカビが発生する問題を確実に防止できる。そのため、加湿動作の開始時に、加湿した空気と一緒に臭気が放出される問題を未然に防止できる。
【００１０】
また、水分検出手段を、外部の湿度を検出する第１湿度センサと加湿した空気の湿度を検出する第２湿度センサとからなる構成とし、または、加湿部材の重量を検出する重量センサとし、その検出値が予め設定した許容範囲内になると停止するため、即ち、所定範囲内になるまで乾燥処理を実行するため、確実に加湿部材の水分を無くして乾燥させることができる。
【発明を実施するための最良の形態】
【００１１】
以下、本発明の実施の形態を図面に従って説明する。
【００１２】
図１および図２は、本実施形態に係る加湿器を示す。この加湿器は、大略、加湿器本体１０内に、散水室２７と、加湿部材であるフィルタ部材３２と、送風手段であるファン３６とを配設した構成である。
【００１３】
前記加湿器本体１０は、前後のケーシングを組み合わせたもので、図１に示すように、その内部側方に上面から着脱可能に給水タンク１１が収容されている。この給水タンク１１の下端開口部は、キャップ１２によって閉鎖されている。このキャップ１２には、押込可能に設けた閉鎖部材１３によって閉鎖された給水口１４が形成されている。
【００１４】
また、加湿器本体１０において、前記給水タンク１１の下方には、該給水タンク１１から供給される水が貯水される貯水槽１５が設けられている。この貯水槽１５の底面中央部には突部１６が形成されている。これにより、加湿器本体１０に給水タンク１１を装着すると、キャップ１２の閉鎖部材１３が突部１６に押し込まれて給水口１４が開放し、貯水槽１５への給水が行われる。但し、貯水槽１５内の水位が上昇し、給水口１４が水面下となれば、給水タンク１１内への空気の流入が阻止されるため、給水タンク１１内の空気圧が負圧となって給水は停止される。つまり、水位が給水口１４よりも降下することにより給水され、上昇することにより給水が停止される。したがって、貯水槽１５には、ほぼ一定量の水が貯水される。
【００１５】
そして、本実施形態では、前記突部１６を貯水槽１５に対して上下方向に移動可能に配設するとともに、ソレノイド１７の出力軸に固定している。そして、図示しないフロート方式の水位センサによって給水タンク１１内の水が無くなったことを検出した場合、および、加湿器本体１０が転倒することにより前記水位センサが前記と同様の検出をした場合に、前記出力軸を進出させるように動作させるように構成している。これにより、給水タンク１１に水が無くなっている場合には、加湿器本体１０から給水タンク１１が突出し、ユーザが給水の必要性を認識できる。また、加湿器本体１０が転倒した場合には、給水タンク１１が押圧された後、閉鎖部材１３と突部１６との干渉が解除されることにより、閉鎖部材１３によって給水口１４を閉鎖し、内部の水の流出を防止できる。なお、水位センサによって異常を検出すると、ソレノイド１７の出力軸を後退するように動作させてもよい。このようにすれば、転倒時により確実に給水口１４を閉鎖によって閉鎖できる。なお、突部１６を上下動させる手段はソレノイド１７に限られず、希望に応じて変更が可能である。
【００１６】
さらに、加湿器本体１０には、図２に示すように、前面の吸込口１８と、上面の吹出口１９とを連通する空気流路２０が形成されている。吸込口１８は、加湿器本体１０の前面に着脱可能なカバー２１に形成される複数のスリットで構成されている。カバー２１の内側は、後述するフィルタ部材３２を着脱可能に装着するフィルタ装着室２２となっている。フィルタ装着室２２の底面は、落下した水滴を還流できるように、１箇所の還流孔２３に向かって傾斜するように形成されている。還流孔２３には、後述する給水管２８におけるヒータ３０の上流側に接続された還流管２４が接続されている。フィルタ装着室２２の上面には、後述するフィルタ部材３２を所定角度で傾斜した状態で保持するガイド部２５と係止受部２６とが設けられている。
【００１７】
前記散水室２７は、図１に示すように、前記フィルタ装着室２２の上方である加湿器本体１０の内部上方に配設された上面開口の箱形状のものである。この散水室２７の側面には、一端を前記貯水槽１５に接続した給水管２８が接続されている。具体的には、この給水管２８は、貯水槽の下面から下方に突出し、水平方向に屈曲して空気流路２０の下側に延びている。そして、給水管２８は、空気流路２０の下方側で略Ｕ字形となるように屈曲し、このＵ字部２９に、内部の水を加熱する加熱手段であるヒータ３０が配設されている。また、給水管２８は、Ｕ字部２９から給水タンク１１に沿って上方に向かい、水平方向に屈曲して散水室２７の側面を貫通し、その内部に突出している。そして、前記ヒータ３０に通電し、Ｕ字部２９内の水を加熱すると、加熱された水が沸騰し、給水管２８内を上昇することにより、散水室内に給水可能となっている。
【００１８】
前記散水室２７の底面には、図４に示すように、長手方向に複数列で複数の貫通孔３１が形成されている。加湿器本体１０の前面側に形成される貫通孔３１の列は、フィルタ部材３２の上面に水を供給するためのものであり、背面側に形成される貫通孔３１の列は、傾斜されたフィルタ部材３２の傾斜面に水を供給するためのものである。
【００１９】
前記フィルタ部材３２は、枠体３３内にフィルタ３５を収容したものである。前記枠体３３は、合成樹脂材料を箱状に成形したもので、上下面および表裏面は格子状となっている。枠体３３の下面前縁部は、フィルタ装着室２２の傾斜した底面に沿うように形成されている。また、枠体３３の上面両側には、前記係止受部２６に係止する断面略Ｌ字形の係止部３４がそれぞれ突設されている。前記フィルタ３５は、レーヨン、ポリエステル等の吸水性および通気性に優れた材料を交互に折り畳んで蛇腹状にしたものである。このフィルタ３５は、散水室２７から落下した水がスムーズに上方から下方へと浸透するように、折り目が上下方向に延びるように枠体３３に収容される。
【００２０】
前記ファン３６は、図３に示すように、外周部に複数のフィンを並設された円筒状のシロッコファンが使用されている。このファン３６は、回転することにより、中心部に空気を吸い込んで、外周部に空気流れを発生させるものである。ファン３６は、空気流路２０の途中に形成したインボリュート通路からなる送風室３７内に配置され、図示しないモータの駆動により回転する。送風室３７は、その内周面がファン３６の外周形状に対して周方向に徐々に広がるように形成されている。これにより、吸込口１８から空気流路２０内に周囲の空気が吸い込まれ、フィルタ部材３２を通過した後、送風室３７から吹出口１９に向かって吹き出される。
【００２１】
前記加湿器において、還流管２４における給水管２８との接続端近傍には、内部の水温を検出するサーミスタ等の温度センサ３８が配設されている。また、加湿器本体１０のケーシングには、外部である室内の湿度を検出する第１湿度センサ３９が配設されている。さらに、前記空気流路２０内において、前記フィルタ部材３２の下流側には、室内に供給する加湿した空気の湿度を検出するための第２湿度センサ４０が配設されている。
【００２２】
また、加湿器本体１０の上面には、図５に示す操作パネル４１が配設され、該操作パネル４１の背部に制御基板（図示せず）が配設されている。
【００２３】
前記操作パネル４１には、左側上部に前記第１湿度センサ３９による検出値に基づいた湿度を数値表示するためのセグメント表示部４２が設けられている。この表示部４２の下部には、室内が乾燥状態であることを示す乾燥表示部４３が設けられている。この表示部４３の下部には、給水タンク１１内の水が無くなったことを示す給水表示部４４が設けられている。また、前記セグメント表示部４２の右側には、フィルタ３５を除菌するための除菌クリーニングスイッチ４５が設けられている。このスイッチ４５の下部には、使用時間が経過することに伴うフィルタ部材３２のお手入れサイン表示部４６が設けられている。この表示部４６の下部には、ユーザがフィルタ部材３２を清掃した際に累積使用時間をリセットするためのリセットスイッチ４７が設けられている。また、前記除菌クリーニングスイッチ４５の右側には、タイマーの設定時間を示すタイマー表示部４８ａ〜４８ｄが設けられている。これら表示部４８ａ〜４８ｄの下部には、タイマーを設定するためのおやすみスイッチ４９とおはようスイッチ５０とが設けられている。前記タイマー表示部４８ｄの右側には、加湿動作を選択するための選択スイッチ５１が設けられ、その上部に自動運転モードの標準表示部５２と、該標準より加湿機能が低いひかえめ表示部５３と、連続運転モードの強風表示部５４と、中風表示部５５と、弱風表示部５６とが設けられている。また、これらの右側には、マイナスイオン機能の入／切スイッチ５７および表示部５８が設けられ、その下部に、電源の入／切スイッチ５９が設けられている。
【００２４】
前記制御基板には、ユーザが前記操作パネル４１を操作することにより、前記センサ３８，３９，４０による検出に基づいて前記ヒータ３０およびファン３６を制御して所定の動作を実行するマイコン６０が実装されている。このマイコン６０には、図６に示すように、ＲＡＭやＲＯＭ等の記憶部６１が内蔵され、該記憶部６１にヒータ３０およびファン３６を動作させるプログラムが記憶されている。
【００２５】
具体的には、選択スイッチ５１を操作することによる自動標準加湿処理は、第１湿度センサ３９による検出値に応じて前記ファン３６を単位時間当たりの回転数が多い強風運転、該強風運転より単位時間当たりの回転数が少ない中風運転、または、該中風運転より単位時間当たりの回転数が少ない弱風運転させて加湿を行うものである。また、自動ひかえめ加湿処理は、第１湿度センサ３９による検出値に応じて前記ファン３６を中風運転または弱風運転させて加湿を行うものである。また、連続強加湿処理は、第１湿度センサ３９による検出値に拘わらずファン３６を強風運転させて加湿を行うものである。また、連続中加湿処理は、第１湿度センサ３９による検出値に拘わらずファン３６を中風運転させて加湿を行うものである。また、連続弱加湿処理は、第１湿度センサ３９による検出値に拘わらずファン３６を弱風運転させて加湿を行うものである。また、除菌クリーニングスイッチ４５を操作することによる除菌処理は、ファン３６を動作させることなく、ヒータ３０のみを動作させることにより、高温の水をフィルタ部材３２に供給し、高温による滅菌を行うものである。また、おやすみスイッチ４９を操作することによるおやすみタイマー処理は、ユーザが選択する１時間後、２時間後、４時間後または６時間後に加湿動作を停止させるものである。また、おやようスイッチ５０を操作することによるおはようタイマー処理は、ユーザが選択する１時間後、２時間後、４時間後または６時間後に加湿動作を開始させるものである。マイナスイオン入／切スイッチ５７を操作することによるマイナスイオン発生処理は、前記送風室３７内に配設した図示しないマイナスイオン発生装置のオン、オフするものである。
【００２６】
そして、本実施形態では、複数種の加湿処理を停止すると、続いてファン３６のみを動作させるフィルタ部材３２の乾燥処理を実行するように構成している。また、おやすみタイマー処理により加湿処理を停止する場合には、タイマーが終了する２０分前から乾燥処理に移行するように構成している。第１実施形態の乾燥処理は、前記第１湿度センサ３９および第２湿度センサ４０を、フィルタ部材３２が含有した水分を検出する水分検出手段として使用し、これらによる検出値の差が、記憶部６１に予め記憶した許容範囲内になるまでファン３６を強風運転させ、許容範囲になるとファン３６を停止するものである。なお、ファン３６を動作させる風量は、乾燥処理を実行する直前の動作状態での風量を維持させてもよい。
【００２７】
次に、前記構成からなる加湿器の動作について具体的に説明する。
【００２８】
まず、取り出した給水タンク１１に給水し、キャップ１２を取り付けて加湿器本体１０に装着すると、突部１６によってキャップ１２の閉鎖部材１３が押し込まれ、給水口１４が開放される。これにより、給水タンク１１から貯水槽１５に給水され、該貯水槽１５での水位が上昇して給水口１４を越えると、給水タンク１１から貯水槽１５への給水が停止する。
【００２９】
続いて、電源を入れると、マイコン６０は、第１湿度センサ３９から入力された検出データに基づいて湿度をセグメント表示部４２に表示するとともに、乾燥表示部４３を点灯または消灯させる。また、ユーザが選択スイッチ５１を操作して加湿処理を選択すると、マイコンは、選択された動作モードでファン３６を動作させるとともに、ヒータ３０への通電を開始する。さらに、この通常の加湿動作と並行して、フィルタ部材３２の未装着状態による異常判断（検出）、および、ファン３６が故障することによる異常判断（検出）を実行する。
【００３０】
加湿処理では、温度センサ３８による検出温度に基づいてヒータ３０への通電を行う。これにより、給水管２８のＵ字部２９内の水が加熱されて沸騰し、散水室２７へと供給される。散水室２７に供給された水は、貫通孔３１を介してフィルタ部材３２に供給され、フィルタ３５の全体に浸透する。この結果、ファン３６の駆動により、吸込口１８から吸い込まれた空気がフィルタ３５を通過すると、いずれの領域を通過しても十分に加湿されることになる。また、供給される水は沸騰しているため、その熱によりフィルタ部材３２が滅菌され、常に清潔な状態に維持される。そして、フィルタ部材３２から落下した水は、フィルタ装着室２２の底面に形成した還流孔２３から還流管２４を介して給水管２８に還流され、再び加熱により沸騰された後、散水室２７へと供給される。
【００３１】
一方、異常判断処理では、マイコン６０は、前記温度センサ３８による検出温度を、予め記憶部６１に記憶した異常判定データとを比較し、検出温度が判定データを超えると、フィルタ部材３２の未装着であるという異常、または、ファン３６が故障しているという異常が発生したと判断し、前記加湿処理の割込停止処理を行う。
【００３２】
また、スイッチ操作により加湿処理が停止されると、または、おやすみタイマー機能により加湿処理の終了２０分前になると、マイコン６０は、フィルタ部材３２の乾燥処理を実行する。
【００３３】
この乾燥処理では、マイコン６０は、図７に示すように、ステップＳ１で、ヒータ３０をオフ（停止）した後、ステップＳ２で、ファン３６を強風運転するように動作させる。
【００３４】
ついで、ステップＳ３で、第１湿度センサ３９によって外部である室内の湿度（Ｈ１）を検出した後、ステップＳ４で、第２湿度センサ４０によってフィルタ部材３２を通過することにより加湿された空気の湿度（Ｈ２）を検出する。
【００３５】
ついで、ステップＳ５で、検出した湿度の差（Ｈ２−Ｈ１）が予め設定した許容範囲（本実施形態では±５％）内であるか否かを検出する。そして、温度差が許容範囲内である場合にはステップＳ６に進み、ファン３６をオフ（停止）して加湿処理を終了する。また、温度差が許容範囲内でない場合にはステップＳ３に戻る。
【００３６】
このように、本実施形態の加湿器では、フィルタ部材３２が含有した水分を検出する水分検出手段による検出に基づいて、ファン３６のみを動作させる乾燥処理を設けているため、フィルタ部材に細菌やカビが発生する問題を確実に防止できる。そのため、次に加湿動作の開始時に、加湿した空気と一緒に臭気が放出される問題を未然に防止できる。また、第１実施形態では、水分検出手段として、外部の湿度を検出する第１湿度センサ３９と加湿した空気の湿度を検出する第２湿度センサ４０とを用い、これらの検出値の差が予め設定した許容範囲内になると停止する構成としているため、言い換えれば、所定範囲内になるまで乾燥処理を実行するため、確実にフィルタ部材３２の水分を無くして乾燥させることができる。
【００３７】
図８から図１１は第２実施形態の加湿器を示す。この第２実施形態では、第１実施形態に示す第２湿度センサ４０は設けずに、図８および図９に示すように、フィルタ部材３２の重量を直接検出する重量センサ６２を水分検出手段として用いた点で、第１実施形態と大きく相違している。
【００３８】
具体的には、前記重量センサ６２は、フィルタ部材３２を傾斜した状態で装着するフィルタ装着室２２において、枠体３３の下面前縁部に位置するように配設されている。この重量センサ６２としては、小型でかつ防水対策が施され、検出データをリード線を介して送信可能なものであれば、いずれでも使用できる。
【００３９】
また、第２実施形態では、マイコン６０は、第１実施形態と同様に、記憶部６１に記憶されたプログラムに従って、自動標準加湿処理、自動ひかえめ加湿処理、連続強加湿処理、連続中加湿処理、連続弱加湿処理、除菌処理、おやすみタイマー処理、おはようタイマー処理およびマイナスイオン発生処理を実行する。
【００４０】
そして、本実施形態では、複数種の加湿処理を停止すると、また、おやすみタイマーが終了する２０分前になると、前記重量センサ６２による検出値に基づいてフィルタ部材３２の乾燥処理を実行する。また、フィルタ部材３２を交換した際などに、累積使用時間をリセットするためのリセットスイッチ４７を６秒以上連続して押し続けることにより、フィルタ部材３２の重量（Ｗ）を測定し、記憶部６１に基本重量（Ｗ０）を更新記憶するように構成している。
【００４１】
即ち、図１０に示すように、マイコン６０は、リセットスイッチ４７の操作を検出すると、ステップＳ１０で、連続操作時間を測定する。リセットスイッチ４７の操作が止められると、ステップＳ１１で、操作が６秒以上であるか否かを検出する。そして、操作が６秒以上である場合にはステップＳ１２に進み、重量センサ６２によってフィルタ部材３２の重量（Ｗ）を検出した後、ステップＳ１３で、検出した重量（Ｗ）をフィルタ部材３２の基本重量（Ｗ０）として更新記憶してリセット処理を終了する。また、操作が６秒未満である場合にはステップＳ１４に進み、累積使用時間をリセットしてリセット処理を終了する。なお、基本重量（Ｗ０）を更新記憶すると、その重量に基づいて乾燥状態を判断する許容範囲を演算し、更新記憶する。
【００４２】
次に、前記構成からなる第２実施形態の加湿器の動作について具体的に説明する。
【００４３】
電源を入れると、マイコン６０は、第１実施形態と同様に、湿度をセグメント表示部４２に表示するとともに、乾燥表示部４３を点灯または消灯させる。また、希望の加湿処理を選択すると、選択された動作モードで加湿処理を実行するとともに、異常判断（検出）を実行する。そして、スイッチ操作により加湿処理が停止されると、または、おやすみタイマー機能により加湿処理の終了２０分前になると、マイコン６０は、フィルタ部材３２の乾燥処理を実行する。
【００４４】
第２実施形態の乾燥処理では、マイコン６０は、図１１に示すように、ステップＳ２０で、ヒータをオフ（停止）した後、ステップＳ１１で、ファン３６を強風運転するように動作させる。ついで、ステップＳ１２で、重量センサ６２によってフィルタ部材３２の重量（Ｗ）を検出した後、ステップＳ１４で、検出した重量（Ｗ）と基本重量（Ｗ０）の差（Ｗ−Ｗ０）が予め設定した許容範囲（本実施形態では±５％）内であるか否かを検出する。そして、重量差が許容範囲内である場合にはステップＳ２４に進み、ファン３６をオフ（停止）して加湿処理を終了する。また、重量差が許容範囲内でない場合にはステップＳ２２に戻る。
【００４５】
このように、第２実施形態の加湿器では、水分検出手段として重量センサ６２とを用い、その検出値が予め設定した許容範囲内になるまで乾燥処理を実行するため、確実にフィルタ部材３２の水分を無くして乾燥させることができる。そのため、フィルタ部材３２に細菌やカビが発生する問題を確実に防止し、加湿動作の開始時に、加湿した空気と一緒に臭気が放出される問題を確実に防止できる。
【００４６】
なお、本発明の加湿器は、前記実施形態の構成に限定されるものではなく、種々の変更が可能である。
【００４７】
例えば、前記各実施形態では、加湿処理に続いて乾燥処理を実行するようにしたが、操作パネル４１に専用の乾燥スイッチを設け、該乾燥スイッチを操作すると乾燥処理を実行するようにしてもよい。
【図面の簡単な説明】
【００４８】
【図１】本発明の実施形態に係る加湿器の正面部分断面図である。
【図２】加湿器の側面断面図である。
【図３】加湿器の図１とは異なる箇所での正面部分断面図である。
【図４】図２の散水室およびフィルタ部材を示す拡大断面図である。
【図５】加湿器の操作パネルを示す平面図である。
【図６】第１実施形態の加湿器の構成を示すブロック図である。
【図７】第１実施形態の加湿器の乾燥処理を示すフローチャートである。
【図８】第２実施形態の加湿器の側面断面図である。
【図９】第２実施形態の加湿器の構成を示すブロック図である。
【図１０】第２実施形態の加湿器のリセット処理を示すフローチャートである。
【図１１】第２実施形態の加湿器の乾燥処理を示すフローチャートである。
【符号の説明】
【００４９】
１０…加湿器本体
１１…給水タンク
１８…吸込口
１９…吹出口
２０…空気流路
２４…還流管
２７…散水室
２８…給水管
３０…ヒータ（加熱手段）
３２…フィルタ部材（加湿部材）
３６…ファン（送風手段）
３９…第１湿度センサ（水分検出手段）
４０…第２湿度センサ（水分検出手段）
６０…マイコン
６２…重量センサ（水分検出手段）
【図１】
2006010135.tif 000003
【図２】
2006010135.tif 000004
【図３】
2006010135.tif 000005
【図４】
2006010135.tif 000006
【図５】
2006010135.tif 000007
【図６】
2006010135.tif 000008
【図７】
2006010135.tif 000009
【図８】
2006010135.tif 000010
【図９】
2006010135.tif 000011
【図１０】
2006010135.tif 000012
【図１１】
2006010135.tif 000013